(57)【要約】陰極線管の円錐部分内に受容するために広端にフランジを有する強磁性シールドファンネルである。ファンネルは、そのフランジのコーナ部分において支持部材を有する。各支持部材は、フランジに取付けられる基部プレートと、陰極線管の壁内の各ピンに付勢するようＶ字型に曲げられる遠位端を有する。ファンネルがピンから緩むことを阻止するために、支持部材は、更なる取付け手段を有し、この更なる取付け手段によって支持部材は、フランジのスカートに取付けられる。基部プレートは、コーン部分の長側部に平行なフランジ部分に対する２つの第１の接続点と、コーン部分の短側部に平行なフランジ部分に対する２つの第２の接続点によってフランジに取付けられる。これらの接続点のうち最も離れている点は、コーナ部分においてフランジが曲がらないよう配置されることが好適である。
2005527086.tif 000002
【特許請求の範囲】
【請求項１】
２つの長側部及び２つの短側部を有するコーン部分と、
前記コーン部分の広端におけるフランジと、
を有し、
前記フランジは、それぞれベベルされている４つのコーナ部分と、各コーナ部分に配置される金属支持部材を有し、
前記金属支持部材は、前記コーン部分から離れている前記フランジの側部に平行且つ取付けられる基部プレートと、開口を有する遠位端を有する、陰極線管用の内部磁気シールドであって、
前記遠位端は、Ｖ字型に曲げられ、
前記開口は、前記基部プレートから離れた前記遠位端の一部内に配置されることを特徴とする内部磁気シールド。
【請求項２】
前記フランジはスカートを有するが、前記ベベルされたコーナ部分はスカートがなく、
前記金属支持部材は、前記フランジに垂直であり且つ前記スカートに取付けられる少なくとも１つの更なる取付け部分を有する請求項１記載の内部磁気シールド。
【請求項３】
前記Ｖ字型遠位端の前記基部プレートに隣接する部分は、少なくとも片側に脚を有し、
前記脚は、前記少なくとも１つの更なる取付け部分を形成する請求項２記載の内部磁気シールド。
【請求項４】
前記基部プレートには、前記コーン部分から離れるよう曲げられる少なくとも１つの部分が設けられ、
前記少なくとも１つの離れるよう曲げられる部分は、前記更なる取付け部分を形成する請求項２記載の内部磁気シールド。
【請求項５】
前記基部プレートは、前記コーン部分の長側部に平行なフランジ部分に対する２つの第１の接続点と、前記コーン部分の短側部に平行なフランジ部分に対する２つの第２の接続点によって前記フランジに取付けられる請求項１記載の内部磁気シールド。
【請求項６】
互いから最も離れている前記第１の接続点及び前記第２の接続点のうちの２つを通る想像線は、前記コーン部分の外側にある場合は、前記コーン部分の隣接するコーナに対する距離が、多くとも５ｍｍである請求項５記載の内部磁気シールド。
【請求項７】
互いから最も離れている前記第１の接続点及び前記第２の接続点のうちの２つを通る想像線は、前記コーン部分を横断する請求項５記載の内部磁気シールド。
【請求項８】
前記コーン部分の狭端の表面は閉じられている請求項１記載の内部磁気シールド。
【請求項９】
請求項１乃至８のうちいずれか一項記載の内部磁気シールドを有する陰極線管。
【請求項１０】
ネック、ファンネル、内面を有し実質的に矩形のフェースプレート、前記フェースプレートと前記ファンネルの間に延在するスカート、及び、前記フェースプレートの各コーナに隣接する前記スカートから内側に延在する４つのピンを有する真空外囲器と、
複数の蛍光体素子を有する、前記内面上の表示スクリーンと、
前記表示スクリーンに向かって電子を放射する前記ネック内に配置される電子銃組立体と、
前記ピン上に、前記表示スクリーンに隣接して取付けられ、電子を前記蛍光体素子に向けて案内する複数のアパーチャを有する色選択電極、
を有し、
各支持部材の前記遠位端は、前記ピンのそれぞれを付勢する請求項９記載の陰極線管。
【請求項１１】
各支持部材の前記遠位端は、前記遠位端の開口を通して前記ピンのそれぞれと係合する請求項１０記載の陰極線管。
【請求項１２】
前記色選択電極が接続される実質的に矩形の支持フレームを更に有し、
前記支持フレームは、４つのコーナブラケットと、各コーナブラケットに直接固定される４つの弾性プレートを有し、
各弾性プレートは、前記ピンのそれぞれに係合する開口手段を有し、また、前記ピンに対してバネにより荷重がかけられ、
前記開口手段のそれぞれは、浮動ワッシャを有し、
前記浮動ワッシャには、前記ピンのそれぞれに係合する内面と、前記遠位端の前記開口を介して前記遠位端のそれぞれに係合する外面を有するボスが設けられる、請求項１０記載の陰極線管。
【発明の詳細な説明】
【技術分野】
【０００１】
本発明は、陰極線管用の内部磁気シールド（ＩＭＳ）に係る。この内部磁気シールドは、２つの長側部及び２つの短側部を有するコーン部分と、そのコーン部分の広端におけるフランジとを有し、フランジは、それぞれベベルされている４つのコーナ部分と、各コーナ部分に配置される金属支持部材とを有し、金属支持部材は、コーン部分から離れているフランジの側部に平行で且つ取付けられる基部プレート及び開口を有する遠位端を有する。
【０００２】
本発明は更に、そのような内部磁気シールドが具備されたＣＲＴに係る。
【背景技術】
【０００３】
カラーテレビジョン、コンピュータモニタ、及び他の表示用途のためのＣＲＴは、可視表示を与えるために陰極ルミネセンス蛍光体スクリーンに依存する。このようなスクリーンは、多数の小さい赤、青、及び緑色蛍光体素子の繰り返しパターンから構成され、これらの素子は、スクリーンの背後にある電子銃から放射される電子ビームによって発光するよう励起される。３つのビーム、即ち、カラー表示信号の赤、青、及び緑成分のそれぞれに対し１つのビームがある。動作時には、スクリーンは、ビームの強度が表示信号の各原色成分によって変調されながら、３つのビームによって同時に繰り返し走査される。多数の蛍光体素子は、走査周波数と共に、視聴者に一様なフルカラー表示の知覚をもたらす。
【０００４】
このようなＣＲＴは、一般的に、シャドウマスクといった色選択手段を用いる。シャドウマスクは、多数のアパーチャを有する薄いシートで、蛍光体スクリーンと電子銃との間でスクリーンの直ぐ背後に取付けられる。アパーチャは、スクリーン上の蛍光体素子と位置合わせされ、電子ビームは、電子銃からマスクに集束するよう方向付けられる。ビームは、個々のアパーチャを通過すると、互いから分散し、対応する色の蛍光体素子上に到達する。
【０００５】
一般的に、０．１５乃至０．２５ｍｍの厚さであるマスクは、その形状を維持するためにフレーム上で支持される。そのときフレームは、マスクをスクリーンに対して適切な位置合わせとなるようガラスの外囲器内にしっかりと取付けられる。このような位置合わせは、表示画像の色純度を低減し得る隣接蛍光体素子上へのビームの到達を阻止するようＸ及びＹ方向のみならず、Ｚ方向、即ち、陰極線管軸に沿っても維持されなければならない。
【０００６】
特にウォームアップ期間の間に、マスクは温まり全方向に膨張する。フレームも温まると、懸架システムの熱補償効果が発生し、マスク全体がスクリーンの近くに動かされ、全てのマスクアパーチャが電子ビーム経路に戻されことにより全体の色純度が維持される。マスクとフレームの温度差が、最初のウォームアップ時に大きいと、熱補償に必要な時間も長くなる。この差は、可能な限り小さい質量のフレームを用いることによって最小限にされる。
【０００７】
受像管ウォームアップ時に適切なＱ空間（マスクとスクリーン間の距離）を維持するための一般的な技法は、いわゆる「コーナロック」懸架システムを用いることであり、このシステムでは、熱補償手段をそれぞれ有するコーナロックメカニズムがフレームの４つのコーナに取付けられる。このことは、側部取付け配置を用いて達成可能なよりもより安定した配置をもたらし、それにより、より軽量で且つあまり高価ではないマスク及び／又はフレームを用いることが可能となる。
【０００８】
現在のマスク懸架システムは、ＷＯ９９／３４３９１に記載される。このシステムは、矩形フレームを形成するよう軽量ダイアフラムストリップに溶接されるコーナブラケットを用いる。各ダイアフラムストリップは、基部セクションと、シャドウマスクが溶接される直立セクションから形成される角断面を有する。温度補償プレート又はヒンジプレートとも称される弾性プレートは、バネによって各コーナプレートに固定され、このバネは、フェースプレートに隣接するスカートのコーナに埋め込まれるピンに向かってコーナプレートを付勢する。このピンは、ヒンジプレートに取付けられる浮動ワッシャによって係合される。組立て時に、浮動ワッシャは、マスク／フレーム組立体がピンに係合された後に、ヒンジプレートに溶接される。次に、蛍光体素子が、フォトリソグラフィックスクリーニング処理で付加される。この処理には、組立体を数回動かし且つ元に戻すことが含まれる。導電性コーティングが蛍光体素子に塗布された後、組立体は、浮動ワッシャをスタッドに溶接することによって定位置に固定される。内部磁気シールドは、コーナプレートにおける開口を通り受容されるダートクリップ（dart  clip）によってフレームに固定される。
【発明の開示】
【発明が解決しようとする課題】
【０００９】
公知のシステムの欠点は、特に、画質低下と、内部磁気シールドがＣＲＴ内で支持される特定の方法（シャドウマスクフレームへの機械的な結合）に起因するマイクロフォニ（microphony）の振る舞いを制御する困難さである。
【００１０】
内部磁気シールドのピン上への取付けが関連する機械的に結合されていないシステムが、代替として提案されているが、衝撃の影響によって、内部磁気シールドがピンから緩んでしまう欠点があり、結果として、システムは不安定となる。
【課題を解決するための手段】
【００１１】
本発明では、これらの欠点を大いに解決する内部磁気シールドは、遠位端は、Ｖ字型に曲げられ、開口は、基部プレートから離れた遠位端の一部内に配置されることを特徴とする。
【００１２】
この支持部材の構成は、ピン上に特定のバイアス（荷重）で支持部材を置くことを可能にし、遠位端における開口は、ピンに係合する（直接取付け）か、又は、隣接するマスク支持手段をそのピンに接続する成形ボス（ドーム）に係合する（間接取付け）。
【００１３】
更なる実施例は、フランジはスカートを有するが、ベベルされたコーナ部分はスカートがなく、金属支持部材は、フランジに垂直であり且つスカートに取付けられる少なくとも１つの更なる取付け部分を有することを特徴とする。この構成は、重い衝突に耐えるシステムの能力を向上する。内部磁気シールド支持部材が、従来技術通りに、フランジだけに取付けられると、これらは、衝突試験において時々折れてしまう傾向があった。
【００１４】
内部磁気シールド支持部材のスカートへの取付けは、内部磁気シールドコーン部分から離れるよう折り曲げられる少なくとも１つの部分を有する基部プレートを与え、この部分をスカートに溶接することによって有利に行われ得る。或いは、基部プレートに隣接するＶ字型遠位端の一部には、少なくとも片側に突出（脚）が設けられ、この脚がスカートに溶接される。
【００１５】
更なる実施例では、基部プレート自体が、コーン部分の長側部に平行なフランジ部分に対する２つの第１の接続点と、コーン部分の短側部に平行なフランジ部分に対する２つの第２の接続点によってフランジに取付けられる。この構成は、衝撃の影響を受けてフランジが局所的に曲がり、内部磁気シールドがゆるんでしまうことを阻止する。
【００１６】
この目的を満たすための１つの好適な実施例は、互いから最も離れている第１の接続点及び第２の接続点のうちの２つ（「極端の」接続点）を通る想像線は、コーン部分の外側にある場合は、コーン部分の隣接するコーナに対する距離が、多くとも５ｍｍであることを特徴とする。この距離が、ゼロである場合、想像線は、コーン部分に接触する。この想像線は、コーン部分を横断することが好適である。
【００１７】
新規の内部磁気シールドのようにシャドウマスクフレームとは機械的に結合されない、ＣＲＴ内に支持されるべき内部磁気シールドにとって、コーン部分の狭端の表面は閉じられていることが重要である。このことは、コーン部分の狭端における表面が閉じられていないよう設計される内部磁気シールドと比較して、ねじれに耐える安定性を向上する。ねじれは、１つ以上の支持部材から内部磁気シールドが緩む又は折れることをもたらし得る。
【００１８】
第５の接続点（溶接点）が、フランジの対角線コーナ部分を接続する想像線に隣接して設けられることが有利であり得る。
【００１９】
本発明は更に、上述した内部磁気シールドが具備されるＣＲＴにも関わる。特に、このＣＲＴは、ピン上に取付けられるシャドウマスクを有し、内部磁気シールドは、その支持部材を介して同じピン上に取付けられ、この取付けは直接的又は間接的である。
【発明を実施するための最良の形態】
【００２０】
本発明の幾つかの実施例を、図面を参照しながら以下に説明する。
【００２１】
図１を参照するに、カラー表示管は、ネック１１、ファンネル１２、実質的に矩形のフェースプレート１５、及びフェースプレートとファンネルの間に延在するスカート１３を有するガラス真空外囲器１０を有する。プレートの４つのコーナに隣接したスカート内に埋め込まれる取付けピン１４は、色選択電極、即ち、シャドウマスク２２を、フェースプレート１５の内面の表示スクリーン１８に対して位置付けるよう機能する。表示スクリーン１８は、アルミニウムコーティング１９によって覆われる多数の赤、緑、及び青色発光蛍光体素子から構成される。これらの素子は、ネック内に取付けられる電子銃２０から放射されるビーム２１内の電子が衝突すると発光する。ビーム２１は、表示管の長手軸について同軸に配置される偏向コイル２４によって偏向され、蛍光体素子を照射するようマスク２２内のアパーチャ２３を通り抜ける。
【００２２】
マスク２２は、支持フレーム２５に溶接され、支持フレーム２５は、取付けピン１４に取付けられる。支持フレーム２５には、４つのコーナブラケット２６が設けられ、各コーナブラケット２６は、コーナブラケット２６に溶接される弾性プレート４０を有し、プレート４０は、マスク２２及び支持フレーム２５を真空外囲器１０に対して位置決めするよう取付けピン１４に対して荷重がかけられる。内部磁気シールド５２は、幾つかの方法で外囲器１０内に取付けることが可能であるが、この例ではいずれの方法も示していない。内部磁気シールド５２は、ファンネル１２の内側にある金属層２７に、接触バネ２８を介して接続される。内部磁気シールドは、地球の磁場及び他の干渉からの電子ビームを遮蔽する。
【００２３】
図２は、後部、即ち、表示スクリーンとは反対側から見たマスク２２と支持フレーム２５を示す平面図である。この例では、全て角断面を有する２つの長ダイアフラム３３及び２つの短ダイアフラム３６が、コーナブラケット２６に溶接されて矩形を形成する。各ダイアフラム３３、３６は、０．２ｍｍ乃至０．４ｍｍの厚さを有し、これは、マスクの０．２ｍｍの厚さと緊密に一致し、ウォームアップ時の組立体の一様の膨張を確実にする。マスク及びダイアフラムは、低炭素鋼から形成されることが好適であり、０．５乃至０．８ｍｍの厚さのコーナブラケットは、低炭素鋼かニッケルメッキした低炭素鋼か又はステンレススチールから形成され得る。この例では、コーナブラケット２６は、それぞれ、フレーム支持部材をピンに対して荷重をかけるためのバネ手段を受容する外側に曲げられたリップを有する矩形穴２８を有する。
【００２４】
弾性プレート４０は、熱膨張に適応し、また、温度補償プレートとも称され、それぞれのコーナブラケット２６に溶接され、視聴者に向かってカンチレバーのように延在する。弾性プレート４０のうち３つは、それらの対応するコーナをＺ方向において固定する丸穴４２を有し、また、マスクダイアフラム組立体全体を、Ｘ及びＹ方向において固定する。第４の弾性プレートは、そのコーナをＺ方向において固定するスロット４３を有し、Ｘ及びＹ方向における位置は、他の３つのプレートによって固定される。
【００２５】
図３は、マスクと支持フレームの組立体をより詳細に示す。各長ダイアフラム３３は、直角に交わる基部部分３４と直立フランジ３５によって形成される。各短ダイアフラム３６は、直角に交わる基部部分３７と直立フランジ３８によって形成される。基部部分３４、３７は、コーナブラケット２６の基部２７に溶接される。直立フランジ３５、３８は、マスク２２用の取付け手段として機能し、マスク２２は、直立フランジに溶接される。電子ビームを案内するアパーチャ２３のほんの幾つかのみを示す。弾性プレート４０は、図４に示すようにブラケット２６に溶接され、また、スカート１３のピン１４の丸頭に接して取付けられるよう位置合わせされる丸い開口４２が設けられる。
【００２６】
製造時には、コーナブラケット２６及びプレート４０は、位置決め治具（図示せず）として機能する組立ブロック上に置かれ、プレートは、それぞれのコーナブラケットに溶接される。次に、ダイアフラムがコーナブラケット２６に溶接され、完成されたフレームは、組立ブロックから取外される。次に、シャドウマスク２２は、フランジ３５、３８に溶接され、組立体は、穴４２とスロット４３がそれぞれのピン１４と係合するようプレート４０を元の位置に戻しながらスカート１３内に置かれる。ここで組立体は、スクリーニングのための準備が整う。
【００２７】
スクリーニングは、各色用の感光性コーティングがマスクを通して露光されて現像される周知の処理である。最初に、発光蛍光体のうちの１つの色用のコーティングが露光され、次に、マスク／フレームが取り除かれて、コーティングは現像されて発光素子を残す。次に、別の色用の感光コーティングが素子上にコーティングされ、マスク／フレームが元の位置に置かれ、コーティングはマスクを通して露光される。マスク／フレームは取り除かれ、コーティングは現像される。この処理は、第３の色についても繰り返され、その後、全ての蛍光体素子は、２００−５００ｍｍの厚さのアルミニウム層でコーティングされ、マスク／フレームは、再びピン１４上に置かれる。内部磁気シールド５２（図１）は、次に、開口２８を介して受容されるダートクリップ（dart  clip）によってフレームに固定され、真空外囲器１０（図１）は、スカートに密閉され、そして排気される。
【００２８】
各ブラケット２６は、平らな基部部分２７を有し、この基部部分から実質的に直角で横フランジ３２が形成され、約４５度の角度で取付けフランジ３０が形成される。フランジ３０には、取付けタブ３１が設けられ、この取付けタブにプレート４０が溶接点４１において溶接される。プレート４０は、カンチレバーのように後方に延在し、穴４２（及びスロット４３、図２）をピンに対して付勢するためのバネ力を与える。
【００２９】
図４は、各ピンに係合する成形ボス（ドーム）４９を有するスライドプレート４８を担持する弾性プレート４６の１つの実施例を示す平面図である。スライドプレート４８は、ＴＣプレート内のスロット４７を通り受容されるタブ５０によってＸ−Ｙ平面に動くことができる。製造時に、スライドプレート４８は、ダイアフラムがブラケットに溶接された後で、フレームが最初にピン上に置かれるときに、プレート４６に溶接される。このことは、フェースプレートと正確な位置合わせを確実にするが、追加の部分を必要とする。図４Ａは、断面図である。
【００３０】
内部磁気シールド５２を、図５により詳細に斜視図で示す。シールド５２は、コーン又はファンネル部分５３を有し、これは、その広端５４にフランジ５５が設けられる。
【００３１】
図５の実施例では、フランジ５５は、スカート５６を有する。スカートは、フランジをより剛性にするが、望まれる場合には、省略してもよい。フランジ５５は、対角線のコーナ領域Ａ、Ｂ、Ｃ、及びＤ（見えない）においてベベルされる。コーナ領域はスカートがなく、例えば、溶接によって、支持部材６０が取付けられなければならない個所を形成する。支持部材は、コーン部分５３から離れたフランジ５５の下面に取付けられる。
【００３２】
図６に示すように、支持部材６０は、（平らな）基部プレート部分５７を有する。
【００３３】
基部プレート５７は、その自由端の付近に取付け目的のための開口６１を有する遠位端５９が接続される。本発明では、遠位端５９は、Ｖ字型に曲げられている。
【００３４】
基部プレート５７は、コーン部分５３から離れているフランジ５５の側部に取付けられる。図６の実施例では、取付けのために、４つの接続点ａ、ｂ、ｃ、ｄが用いられる。接続点ａ及びｂは、この例では、コーン部分の短側部に平行（Ｙ軸に平行）であるフランジ部分に置かれ、接続点ｃ及びｄは、コーン部分の長側部に平行（Ｘ軸に平行）であるフランジ部分に置かれる。極端の接続点ａ及びｄは、コーン部分５３の壁を横断する想像線Ｌ上にある。別の実施例において、線Ｌがコーン部分５３の壁の外側に位置付けられる場合、線は、コーン部分のコーナにできるだけ近いべきである。
【００３５】
フランジへのその取付けのための平らな基部プレート以外に、内部磁気シールド支持部材は、追加の取付け部分を有しても良い。この追加の取付け部分を用いて支持部材は、スカートに取付けられることが可能である。
【００３６】
図７は、スカートへの取付けのための下方向に曲げられたリップ７１、７２を有する支持部材７０を示す。この場合、Ｖ字型遠位端７３は、基部プレート７５の（直立）傾斜部分７４に接続される。
【００３７】
基部プレート７５は、非対称であり、短脚７６と長脚７７を有する。非対称支持部材が、追加の取付け部分を１つしか有さない場合、この追加の取付け部分は、短脚に接続されることが好適である。遠位端７３は、取付け目的のための開口７８を有する。
【００３８】
図８は、ベベル７９を有する基部プレート８５を有する支持部材８０を示す。ベベル７９において、（下方向に曲げられた）傾斜部分８４が設けられる。傾斜部分８４には、Ｖ字型遠位端８３が接続され、スカートへの取付けのための２つの側脚、即ち、突起８１、８２が設けられる。遠位端８３は、取付け目的のための開口８８を有する。
【００３９】
図９は、コーナブラケット２６に接続される弾性プレート４０を示す断面図である。弾性プレート４０は、バネ手段７５によって、コーナピン１４に対して荷重がかけられる。弾性プレート４０には、弾性プレート４０をピン１４の頭部上に固定するためのドーム型ボス４９を有するスライド可能なプレート（ワッシャ）４８が設けられる。内部磁気シールド５２の支持部材６０を、遠位端５９の開口６１によってボス４９上に遠位端５９をカチッと押すことによってボス４９上に取付けることが有利であることが分かっている。別の実施例では、遠位端５９は、ピン１４上に直接取付けることが可能である（図１０）。
【００４０】
内部磁気シールドの支持部材の遠位端を、シャドウマスクをピン１４上に取付けるのに用いるスライドプレートのボス上にカチッと押すことによって、内部磁気シールドをコーナピン１４上に取付けることは、時として、間接取付けと称される。
【００４１】
直接内部磁気シールド取付け方法では、内部磁気シールド５２の支持部材の遠位端５９は、その開口６１を介して取付けピン１４に直接係合する（図１０より前の図と同じ部品と参照番号を用いた図１０を参照されたい）。
【００４２】
要約するに、本発明は、陰極線管の円錐部分内に受容され、その広端にフランジを有し、そのフランジのコーナ部分において支持部材を有する強磁性シールドファンネルに関する。各支持部材は、フランジに取付けられる基部プレートと、陰極線管の壁内のピンに荷重をかけるためにＶ字型に曲げられた遠位端を有する。ファンネルがピンから緩まることを阻止するために、支持部材は、更なる取付け手段を有し、この更なる取付け手段によって、支持部材は、フランジのスカートに取付けられる。コーン部分の長側部に平行なフランジ部分に対する２つの第１の接続点によって取付けられ、且つ、コーン部分の短側部に平行なフランジ部分に対する２つの第２の接続点によって取付けられることによって、基部プレートはフランジに取付けられて、請求項１に記載の内部磁気シールドによって基部プレートはフランジに取付けられることが好適である。これらの接続点のうち両端にある接続点は、コーナ部分におけるフランジの曲げを阻止するよう配置されることが好適である。
【図面の簡単な説明】
【００４３】
【図１】陰極線管を示す断面図である。
【図２】背部から見たときの支持フレーム及びマスクを示す平面図である。
【図３】フェースプレートから分解されたコーナブラケット、フレーム、及びマスクを示す部分斜視図である。
【図４】コーナブラケットと温度補償プレートの１つの実施例を示す平面図である。
【図５】内部磁気シールドを示す斜視図である。
【図６】第１の支持部材を有する本発明の内部磁気シールドを示す部分斜視図である。
【図７】第２の支持部材を示す斜視図である。
【図８】第３の支持部材を示す斜視図である。
【図９】ＣＲＴと第１のコーナピン支持体を示す部分断面図である。
【図１０】ＣＲＴと第２のコーナピン支持体を示す部分断面図である。
【図１】
2005527086.tif 000003
【図２】
2005527086.tif 000004
【図３】
2005527086.tif 000005
【図４】
2005527086.tif 000006
【図５】
2005527086.tif 000007
【図６】
2005527086.tif 000008
【図７】
2005527086.tif 000009
【図８】
2005527086.tif 000010
【図９】
2005527086.tif 000011
【図１０】
2005527086.tif 000012
【手続補正書】
【提出日】平成17年3月2日(2005.3.2)
【手続補正１】
【補正対象書類名】明細書
【補正対象項目名】００４３
【補正方法】変更
【補正の内容】
【００４３】
【図１】陰極線管を示す断面図である。
【図２】背部から見たときの支持フレーム及びマスクを示す平面図である。
【図３】フェースプレートから分解されたコーナブラケット、フレーム、及びマスクを示す部分斜視図である。
【図４】コーナブラケットと温度補償プレートの１つの実施例を示す平面図であり、（Ａ）は、その断面図である。
【図５】内部磁気シールドを示す斜視図である。
【図６】第１の支持部材を有する本発明の内部磁気シールドを示す部分斜視図である。
【図７】第２の支持部材を示す斜視図である。
【図８】第３の支持部材を示す斜視図である。
【図９】ＣＲＴと第１のコーナピン支持体を示す部分断面図である。
【図１０】ＣＲＴと第２のコーナピン支持体を示す部分断面図である。
【手続補正２】
【補正対象書類名】図面
【補正対象項目名】図４
【補正方法】変更
【補正の内容】
【図４】
2005527086.tif 000013
【手続補正３】
【補正対象書類名】図面
【補正対象項目名】図６
【補正方法】変更
【補正の内容】
【図６】
2005527086.tif 000014
【国際調査報告】
2005527086.tif 000015
2005527086.tif 000016